(57)【要約】【課題】僅かな輝度ムラが残存する表示パネルを用いてより良い品質の立体画像を視聴者に提示する。【解決手段】第１画像と第２画像とで構成される立体視のための画像を表示する表示装置１は、複数の発光画素部を配列してなる表示パネル１５と、表示パネル１５を一様な条件で駆動した場合に周辺領域と異なる輝度で発光する輝度ムラ領域の位置と、当該輝度ムラ領域の発光輝度の前記周辺領域の発光輝度からの差分であるムラ量とを表す輝度ムラ情報を格納している輝度ムラ情報格納部４０と、前記第１画像の一部分が前記輝度ムラ領域に表示される場合、前記輝度ムラ領域から第１距離だけ離れた位置に表示される前記第２画像の対応部分を、前記ムラ量の輝度ムラが生じるように修正するムラ立体処理部２０と、前記第１画像の前記一部分と、前記第２画像の修正後の前記対応部分とを、表示パネル１５に表示させる表示制御部１２とを備える。【選択図】図６
2013062625.tif 000002
【特許請求の範囲】
【請求項１】
第１眼用の第１画像と第２眼用の第２画像とで構成される立体視のための画像を表示する表示装置であって、
複数の発光画素部を配列してなる表示パネルと、
前記表示パネルを一様な条件で駆動した場合に周辺領域と異なる輝度で発光する前記表示パネル面内の領域である輝度ムラ領域の位置と、当該輝度ムラ領域の発光輝度の前記周辺領域の発光輝度からの差分であるムラ量とを表す輝度ムラ情報を格納している輝度ムラ情報格納部と、
前記第１画像の一部分が前記輝度ムラ領域に表示される場合、前記表示パネルの前記輝度ムラ領域から第１距離だけ離れた位置に表示される前記第２画像の対応部分を、前記ムラ量の輝度ムラが生じるように修正するムラ立体処理部と、
前記第１画像の前記一部分と、前記第２画像の修正後の前記対応部分とを、前記表示パネルに表示させる表示制御部と、
を備える表示装置。
【請求項２】
前記ムラ立体処理部は、
前記輝度ムラ領域の発光輝度が前記周辺領域の発光輝度よりも高い場合は、前記第２画像の前記対応部分の輝度値を前記ムラ量分増加させ、
前記輝度ムラ領域の発光輝度が前記周辺領域の発光輝度よりも低い場合は、前記第２画像の前記対応部分の輝度値を前記ムラ量分減少させる、
請求項１に記載の表示装置。
【請求項３】
前記ムラ立体処理部は、前記第１画像の前記一部分に表される表示オブジェクトの、前記立体視における視差量を特定し、
前記輝度ムラ領域から前記特定された視差量だけ離れた位置に表示される前記第２画像の部分を、前記対応部分として、修正する、
請求項１または請求項２に記載の表示装置。
【請求項４】
前記ムラ立体処理部は、前記輝度ムラ領域から、前記立体視において奥行きが最も深い位置に表示オブジェクトを結像させるための視差量だけ離れた位置に表示される前記第２画像の部分を、前記対応部分として、修正する、
請求項１または請求項２に記載の表示装置。
【請求項５】
前記第１距離は、前記立体視において前記第１画像の前記一部分と前記第２画像の前記対応部分とが結像する位置の、前記表示パネルの面からの奥行き量に対応している、
請求項１または請求項２に記載の表示装置。
【請求項６】
前記複数の発光画素部は、前記第１画像及び前記第２画像のうち、前記第１画像のみを表示するための発光画素部と、前記第２画像のみを表示するための発光画素部とからなり、
前記表示制御部は、前記第１画像と前記第２画像とを１つのフレームにインターリーブして前記表示パネルに表示させ、
前記第１画像の前記一部分と前記第２画像の前記対応部分とが前記１つのフレーム内に表示される、
請求項１から請求項５のいずれか１項に記載の表示装置。
【請求項７】
前記ムラ立体処理部は、さらに、前記第２画像の一部分が前記輝度ムラ領域に表示される場合、前記表示パネルの前記輝度ムラ領域から第２距離だけ離れた位置に表示される前記第１画像の対応部分を、前記輝度ムラ情報が示す前記ムラ量の輝度ムラが生じるように修正し、
前記表示制御部は、さらに、前記第２画像の前記一部分と、前記第１画像の修正後の前記対応部分とを、前記表示パネルに表示させる、
請求項１から請求項５のいずれか１項に記載の表示装置。
【請求項８】
前記ムラ立体処理部は、
前記輝度ムラ領域の発光輝度が前記周辺領域の発光輝度よりも高い場合は、前記第１画像の前記対応部分の輝度値を前記ムラ量分増加させ、
前記輝度ムラ領域の発光輝度が前記周辺領域の発光輝度よりも低い場合は、前記第１画像の前記対応部分の輝度値を前記ムラ量分減少させる、
請求項７に記載の表示装置。
【請求項９】
前記ムラ立体処理部は、前記第２画像の前記一部分に表される表示オブジェクトの、前記立体視における視差量を特定し、
前記輝度ムラ領域から前記特定された視差量だけ離れた位置に表示される前記第１画像の部分を、前記対応部分として、修正する、
請求項７または請求項８に記載の表示装置。
【請求項１０】
前記ムラ立体処理部は、前記輝度ムラ領域から、前記立体視において奥行きが最も深い位置に表示オブジェクトを結像させるための視差量だけ離れた位置に表示される前記第１画像の部分を、前記対応部分として、修正する、
請求項７または請求項８に記載の表示装置。
【請求項１１】
前記第２距離は、前記立体視において前記第２画像の前記一部分と前記第１画像の前記対応部分とが結像する位置の、前記表示パネルの面からの奥行き量に対応している、
請求項７または請求項８に記載の表示装置。
【請求項１２】
前記表示制御部は、前記第１画像と前記第２画像とを、隣接するフレームとして、前記表示パネルに順次表示させ、
前記第１画像の前記一部分と前記第２画像の前記対応部分とが前記隣接するフレームにおいて順次表示され、
前記第２画像の前記一部分と前記第１画像の前記対応部分とが前記隣接するフレームにおいて順次表示される、
請求項７から請求項１１のいずれか１項に記載の表示装置。
【請求項１３】
前記ムラ量は、前記周辺領域の輝度を基準とした前記輝度ムラ領域の輝度の比率である、
請求項１から請求項１２のいずれか１項に記載の表示装置。
【請求項１４】
さらに、
前記第１眼用の画像を表す第１画像信号と前記第２眼用の画像を表す第２画像信号とを前記表示装置の外部から受信し、前記第１画像信号と前記第２画像信号とを前記ムラ立体処理部に送信する信号前処理部を備える、
請求項１から請求項１３のいずれか１項に記載の表示装置。
【請求項１５】
さらに、
立体視のための画像を表す立体画像信号を前記表示装置の外部から受信し、前記立体画像信号から前記第１眼用の画像を表す第１画像信号と前記第２眼用の画像を表す第２画像信号とを生成し、生成された前記第１画像信号と前記第２画像信号とを前記ムラ立体処理部に送信する信号前処理部を備える、
請求項１から請求項１３のいずれか１項に記載の表示装置。
【請求項１６】
前記発光画素部は、有機ＥＬ発光素子を含む、
請求項１から請求項１５のいずれか１項に記載の表示装置。
【請求項１７】
請求項１から請求項１６のいずれか１項に記載の表示装置と、
前記第１画像及び前記第２画像を、それぞれ左目及び右目の一方及び他方でのみ目視可能とするメガネと、
を備える表示システム。
【請求項１８】
前記メガネは、右目用の第１シャッター部及び左目用の第２シャッター部を有している、
請求項１７に記載の表示システム。
【請求項１９】
第１眼用の第１画像と第２眼用の第２画像とで構成される立体視のための画像を表示する表示方法であって、
複数の発光画素部を配列してなる表示パネルと、
前記表示パネルを一様な条件で駆動した場合に周辺領域と異なる輝度で発光する前記表示パネル面内の領域である輝度ムラ領域の位置と、当該輝度ムラ領域の発光輝度の前記周辺領域の発光輝度からの差分であるムラ量とを表す輝度ムラ情報を格納している輝度ムラ情報格納部と、
を備える表示装置によって実行され、
前記第１画像の一部分が前記輝度ムラ領域に表示される場合、前記表示パネルの前記輝度ムラ領域から第１距離だけ離れた位置に表示される前記第２画像の対応部分を、前記ムラ量の輝度ムラが生じるように修正するムラ立体処理ステップと、
前記第１画像の前記一部分と、前記第２画像の修正後の前記対応部分とを、前記表示パネルに表示させる表示制御ステップと、
を含む表示方法。
【請求項２０】
前記ムラ立体処理ステップで、さらに、前記第２画像の一部分が前記輝度ムラ領域に表示される場合、前記表示パネルの前記輝度ムラ領域から第２距離だけ離れた位置に表示される前記第１画像の対応部分を、前記輝度ムラ情報が示す前記ムラ量の輝度ムラが生じるように修正し、
前記表示制御ステップで、さらに、前記第２画像の前記一部分と、前記第１画像の修正後の前記対応部分とを、前記表示パネルに表示させる、
請求項１９に記載の表示方法。
【発明の詳細な説明】
【技術分野】
【０００１】
本発明は表示装置、表示システム、及び表示方法に関し、特に、立体画像を表示するために好適な表示装置、表示システム、及び表示方法に関する。
【背景技術】
【０００２】
従来、フレーム内の表示オブジェクトごとに適切な視差を持たせた左目用の画像及び右目用の画像を視聴者に提示することによって当該視聴者に立体感のある画像を知覚させる立体画像表示装置が知られている（例えば、特許文献１、２を参照）。視聴者は、このような立体画像表示装置を用いて、立体画像の視聴を楽しむことができる。
【先行技術文献】
【特許文献】
【０００３】
【特許文献１】特開２０１０−２２４１２９号公報
【特許文献２】特開２０１１−００２８１５号公報
【発明の概要】
【発明が解決しようとする課題】
【０００４】
発明者らは、立体画像の表示品質に関する研究を重ねる中で、視聴者が表示パネルに表示された左目用の画像及び右目用の画像から立体画像を知覚する場合には、視聴者が表示パネルに表示された１つの画像を平面的に見る場合に比べて、表示パネルに残存する輝度ムラに気付き易くなるという問題があることを見出した。
【０００５】
有機ＥＬ（Ｅｌｅｃｔｒｏ  Ｌｕｍｉｎｅｓｃｅｎｃｅ）表示パネルなどの表示パネルは、例えば、画素ごとの駆動トランジスタの特性差などに起因する輝度ムラを、本来有している。このような輝度ムラは、製造工程において測定され、当該輝度ムラの大きさを示すパラメータがメモリに記録される。そして、実際に画像を表示する際には、駆動回路が、当該パラメータに基づいて輝度ムラをキャンセルする補正処理を行う結果、表示パネルの輝度ムラは、通常、視聴者が気付かない程度に抑制されている。または、画素内の回路構成などで、輝度ムラをキャンセルする方法などもある。
【０００６】
ところが、発明者らが行った実験において、そのような僅かな輝度ムラが残存する表示パネルに視差を持たせた左目用の画像及び右目用の画像を表示して被験者に観察させたところ、多くの被験者は、輝度ムラが本来の表示オブジェクトの手前に浮かんでいるように見えて気になると回答した。すなわち、輝度ムラは、平面視の際には気にならない程度の僅かなものであっても、立体視の際には知覚され、立体画像の表示品質を損なうことになる。
【０００７】
この問題を回避するために、例えば、立体表示に用いる表示パネルは、立体表示に用いない表示パネルと比べて、輝度ムラに関してより厳しい基準で選別することが考えられるが、その場合、立体表示に用いる表示パネルの歩留まりの低下やコストの増大が避けられない。
【０００８】
本発明は、このような事情に鑑みてなされたものであり、僅かな輝度ムラが残存する表示パネルを用いてより良い品質の立体画像を視聴者に提示できる表示装置、表示システム、及び表示方法を提供することを目的とする。
【課題を解決するための手段】
【０００９】
上記課題を解決するため、本発明に係る表示装置の１つの態様は、第１眼用の第１画像と第２眼用の第２画像とで構成される立体視のための画像を表示する表示装置であって、複数の発光画素部を配列してなる表示パネルと、前記表示パネルを一様な条件で駆動した場合に周辺領域と異なる輝度で発光する前記表示パネル面内の領域である輝度ムラ領域の位置と、当該輝度ムラ領域の発光輝度の前記周辺領域の発光輝度からの差分であるムラ量とを表す輝度ムラ情報を格納している輝度ムラ情報格納部と、前記第１画像の一部分が前記輝度ムラ領域に表示される場合、前記表示パネルの前記輝度ムラ領域から第１距離だけ離れた位置に表示される前記第２画像の対応部分を、前記ムラ量の輝度ムラが生じるように修正するムラ立体処理部と、前記第１画像の前記一部分と、前記第２画像の修正後の前記対応部分とを、前記表示パネルに表示させる表示制御部と、を備える。
【発明の効果】
【００１０】
例えば、有機ＥＬ表示パネルなど表示パネルでは、例えば、有機発光素子などの発光素子の発光を駆動するＴＦＴ（Ｔｈｉｎ  Ｆｉｌｍ  Ｔｒａｎｓｉｓｔｏｒ）の特性ばらつきが、表示パネル面上に反映されやすい。これが、表示ムラとなって表示パネルの面上に現れる。２次元（２Ｄ）の映像を表示する場合にはこの表示ムラがあまり気にならない程度である場合であっても、３次元（３Ｄ）の映像を表示するとそのムラが目立つ傾向となる。
【００１１】
即ち、表示パネルの面上より奥の空間で、右目用の画像と左目用の画像とが結像するように処理されている場合、例えば、右目用の画像とだけ前記輝度ムラ領域が重なる場合、対応する左目用の画像にはその輝度ムラ領域は重ならないので、右目用の画像と左目用の画像とが表示パネルの面上より奥の空間で結像しているように見えつつも、右目用の画像とだけ表示パネルの面上で前記輝度ムラ領域が重なっているように見える。そのため、表示パネルの面上より奥の空間で結像しているように見える画像の手前に、輝度ムラ領域が浮かんでいるように見え、表示画像の品質が低下する。
【００１２】
本発明の１つの態様によると、例えば、右目用の画像と前記輝度ムラ領域が重なる場合、左目用の画像に前記輝度ムラ領域に対応する擬似ムラ領域を意図的に付加する。そのため、表示パネルの面上より奥の空間で結像しているように見える画像と同じように、輝度ムラ領域も、表示パネルの面上より奥の空間で結像して見えるようになる。
【００１３】
従って、輝度ムラ領域が画像の手前に浮かんで見える違和感が軽減され、立体画像の表示品質を担保できる。
【図面の簡単な説明】
【００１４】
【図１】図１は、本発明の基本的概念を説明する図である。
【図２】図２は、本発明の基本的概念を説明する図である。
【図３】図３は、本発明の基本的概念を説明する図である。
【図４】図４は、本発明の基本的概念を説明する図である。
【図５】図５は、本発明の基本的概念を説明する図である。
【図６】図６は、本発明の第１の実施の形態に係る表示装置の機能的な構成の一例を示すブロック図である。
【図７】図７は、本発明の第１の実施の形態に係る表示装置において行われる左目用画像および右目用画像のフレームシーケンシャル表示を説明する図である。
【図８】図８は、本発明の第１の実施の形態に係るムラ立体処理部の機能的な構成の一例を示すブロック図である。
【図９】図９は、本発明の第１の実施の形態に係る輝度ムラ情報の一例を示す図である。
【図１０】図１０は、本発明の第１の実施の形態に係るムラ立体処理の一例を示すフローチャートである。
【図１１】図１１は、本発明の第１の実施の形態に係る視差特定処理の内容を説明する図である。
【図１２】図１２は、本発明の第１の実施の形態に係るムラ立体処理の内容を説明する図である。
【図１３】図１３は、本発明の第１の実施の形態に係るムラ立体処理の内容を説明する図である。
【図１４】図１４は、本発明の比較例において知覚される立体画像の一例を示す図である。
【図１５】図１５は、本発明の第１の実施の形態において知覚される立体画像の一例を示す図である。
【図１６】図１６は、本発明の第１の実施の形態の変形例に係るムラ立体処理部の機能的な構成の一例を示すブロック図である。
【図１７】図１７は、本発明の第２の実施の形態に係る表示装置の機能的な構成の一例を示すブロック図である。
【図１８】図１８は、本発明の第２の実施の形態に係る表示装置において行われる左目用画像及び右目用画像のインターリーブ表示を説明する図である。
【図１９】図１９は、本発明の第２の実施の形態に係るムラ立体処理部の機能的な構成の一例を示すブロック図である。
【図２０】図２０は、本発明の第２の実施の形態に係るＬ輝度ムラ情報の一例を示す図である。
【図２１】図２１は、本発明の第２の実施の形態に係るＲ輝度ムラ情報の一例を示す図である。
【図２２】図２２は、本発明の第２の実施の形態に係るムラ立体処理の一例を示すフローチャートである。
【図２３】図２３は、本発明の第２１の実施の形態に係るムラ立体処理の内容を説明する図である。
【図２４】図２４は、本発明の第２の実施の形態に係るムラ立体処理の内容を説明する図である。
【図２５】図２５は、従来の表示装置の機能的な構成の一例を示すブロック図である。
【発明を実施するための形態】
【００１５】
本発明に係る表示装置の１つの態様は、第１眼用の第１画像と第２眼用の第２画像とで構成される立体視のための画像を表示する表示装置であって、複数の発光画素部を配列してなる表示パネルと、前記表示パネルを一様な条件で駆動した場合に周辺領域と異なる輝度で発光する前記表示パネル面内の領域である輝度ムラ領域の位置と、当該輝度ムラ領域の発光輝度の前記周辺領域の発光輝度からの差分であるムラ量とを表す輝度ムラ情報を格納している輝度ムラ情報格納部と、前記第１画像の一部分が前記輝度ムラ領域に表示される場合、前記表示パネルの前記輝度ムラ領域から第１距離だけ離れた位置に表示される前記第２画像の対応部分を、前記ムラ量の輝度ムラが生じるように修正するムラ立体処理部と、前記第１画像の前記一部分と、前記第２画像の修正後の前記対応部分とを、前記表示パネルに表示させる表示制御部と、を備える。
【００１６】
一般に、例えば有機ＥＬ表示パネルなど表示パネルでは、例えば有機発光素子などの発光素子の発光を駆動するＴＦＴの特性ばらつきが、表示パネル面上に反映されやすい。これが、表示ムラとなって表示パネルの面上に現れる。２Ｄの映像を表示する場合にはこの表示ムラがあまり気にならない程度である場合であっても、３Ｄの映像を表示するとそのムラが目立つ傾向となる。
【００１７】
すなわち、立体視のための前記第１画像及び前記第２画像には、前記第１画像と前記第２画像とが表示パネルの面上より奥の空間で結像するように、所定量の視差が設けられているので、前記第１画像（例えば、右目用の画像）の一部が前記輝度ムラ領域に重なる場合、前記第２画像（例えば、左目用の画像）の前記立体視における対応部分は、その輝度ムラ領域には重ならない。そのため、視聴者は、片眼（例えば右目）のみで前記輝度ムラ領域を見ることになり、表示パネルの面上より奥の空間で結像しているように見える画像の手前に、輝度ムラ領域が浮かんでいるように見え、表示画像の品質が低下する。
【００１８】
本態様によると、前記第１画像の一部分が前記輝度ムラ領域に表示される場合、前記第２画像の対応部分を、前記輝度ムラ領域に対応する擬似ムラ領域が生じるように修正して表示する。そのため、立体視において前記輝度ムラ領域が結像する位置の、奥行き方向の深さが制御可能になり、前記輝度ムラ領域は表示パネルの面上より奥の空間で結像しているように表示される。
【００１９】
従って、輝度ムラ領域が画像の手前に浮かんで見える違和感が軽減され、立体画像の表示品質を担保できる。
【００２０】
また、前記ムラ立体処理部は、前記輝度ムラ領域の発光輝度が前記周辺領域の発光輝度よりも高い場合は、前記第２画像の前記対応部分の輝度値を前記ムラ量分増加させ、前記輝度ムラ領域の発光輝度が前記周辺領域の発光輝度よりも低い場合は、前記第２画像の前記対応部分の輝度値を前記ムラ量分減少させてもよい。
【００２１】
本態様によると、前記輝度ムラ領域と等量の輝度ムラを、前記第２画像の対応部分に、擬似ムラとして付加するので、輝度ムラと擬似ムラとの輝度差によって前記輝度ムラの結像位置が不明瞭になるといった不都合が生じにくく、その結果、輝度ムラを奥行き方向の安定した深さに結像させることができる。
【００２２】
また、前記ムラ立体処理部は、前記第１画像の前記一部分に表される表示オブジェクトの、前記立体視における視差量を特定し、前記輝度ムラ領域から前記特定された視差量だけ離れた位置に表示される前記第２画像の部分を、前記対応部分として、修正してもよい。
【００２３】
本態様によると、前記輝度ムラは、前記第１画像の前記一部分に表される表示オブジェクトと同じ深さに結像するので、視聴者は、３Ｄの映像を、前記輝度ムラ領域に表示された２Ｄの映像を視聴する場合と同等の表示品質で視聴することができる。
【００２４】
また、前記ムラ立体処理部は、前記輝度ムラ領域から、前記立体視において奥行きが最も深い位置に表示オブジェクトを結像させるための視差量だけ離れた位置に表示される前記第２画像の部分を、前記対応部分として、修正してもよい。
【００２５】
本態様によると、輝度ムラは、立体視される画像の最も奥に結像するので、視聴者は、前記輝度ムラが表示オブジェクトよりも手前に浮かんでいるように視認することがなくなり、その結果、前記輝度ムラによる違和感が軽減される。
【００２６】
また、前記第１距離は、前記立体視において前記第１画像の前記一部分と前記第２画像の前記対応部分とが結像する位置の、前記表示パネルの面からの奥行き量に対応していてもよい。
【００２７】
本態様によると、輝度ムラを、前記表示パネルの面から前記奥行き量だけ奥の位置に結像させることができる。
【００２８】
また、前記複数の発光画素部は、前記第１画像及び前記第２画像のうち、前記第１画像のみを表示するための発光画素部と、前記第２画像のみを表示するための発光画素部とからなり、前記表示制御部は、前記第１画像と前記第２画像とを１つのフレームにインターリーブして前記表示パネルに表示させ、前記第１画像の前記一部分と前記第２画像の前記対応部分とが前記１つのフレーム内に表示されてもよい。
【００２９】
本態様によると、インターリーブ方式によって立体画像を表示する場合に適した輝度ムラ処理が行われる。
【００３０】
また、前記ムラ立体処理部は、さらに、前記第２画像の一部分が前記輝度ムラ領域に表示される場合、前記表示パネルの前記輝度ムラ領域から第２距離だけ離れた位置に表示される前記第１画像の対応部分を、前記輝度ムラ情報が示す前記ムラ量の輝度ムラが生じるように修正し、前記表示制御部は、さらに、前記第２画像の前記一部分と、前記第１画像の修正後の前記対応部分とを、前記表示パネルに表示させてもよい。
【００３１】
本態様によると、さらに、前記第２画像の一部分が前記輝度ムラ領域に表示される場合、前記第１画像の対応部分を、前記輝度ムラ領域に対応する擬似ムラ領域が生じるように修正して表示する。そのため、右目及び左目のうちの一方の目で見られる前記輝度ムラ領域に対応して、それぞれ左目用の画像及び右目用の画像に擬似ムラ領域が表示される。
【００３２】
従って、視聴者は、前記輝度ムラ領域を、左目用の画像及び右目用の画像のそれぞれに表示される擬似ムラ領域と共に、必ず両眼で見ることになるので、輝度ムラ領域が画像の手前に浮かんで見える違和感がなくなり、立体画像の表示品質を担保できる。
【００３３】
また、前記ムラ立体処理部は、前記輝度ムラ領域の発光輝度が前記周辺領域の発光輝度よりも高い場合は、前記第１画像の前記対応部分の輝度値を前記ムラ量分増加させ、前記輝度ムラ領域の発光輝度が前記周辺領域の発光輝度よりも低い場合は、前記第１画像の前記対応部分の輝度値を前記ムラ量分減少させてもよい。
【００３４】
本態様によると、前記輝度ムラ領域と等量の輝度ムラを、前記第２画像の対応部分に、擬似ムラとして付加するので、輝度ムラと擬似ムラとの輝度差によって前記輝度ムラの結像位置が不明瞭になるといった不都合が生じにくく、その結果、輝度ムラを奥行き方向の安定した深さに結像させることができる。
【００３５】
また、前記ムラ立体処理部は、前記第２画像の前記一部分に表される表示オブジェクトの、前記立体視における視差量を特定し、前記輝度ムラ領域から前記特定された視差量だけ離れた位置に表示される前記第１画像の部分を、前記対応部分として、修正してもよい。
【００３６】
本態様によると、前記輝度ムラは、前記第２画像の前記一部分に表される表示オブジェクトと同じ深さに結像するので、視聴者は、３Ｄの映像を、前記輝度ムラ領域に表示された２Ｄの映像を視聴する場合と同等の表示品質で視聴することができる。
【００３７】
また、前記ムラ立体処理部は、前記輝度ムラ領域から、前記立体視において奥行きが最も深い位置に表示オブジェクトを結像させるための視差量だけ離れた位置に表示される前記第１画像の部分を、前記対応部分として、修正してもよい。
【００３８】
本態様によると、輝度ムラは、立体視される画像の最も奥に結像するので、視聴者は、前記輝度ムラが表示オブジェクトよりも手前に浮かんでいるように視認することがなくなり、その結果、前記輝度ムラによる違和感が軽減される。
【００３９】
また、前記第２距離は、前記立体視において前記第２画像の前記一部分と前記第１画像の前記対応部分とが結像する位置の、前記表示パネルの面からの奥行き量に対応していてもよい。
【００４０】
本態様によると、輝度ムラを、前記表示パネルの面から前記奥行き量だけ奥の位置に結像させることができる。
【００４１】
また、前記表示制御部は、前記第１画像と前記第２画像とを、隣接するフレームとして、前記表示パネルに順次表示させ、前記第１画像の前記一部分と前記第２画像の前記対応部分とが前記隣接するフレームにおいて順次表示され前記第２画像の前記一部分と前記第１画像の前記対応部分とが前記隣接するフレームにおいて順次表示されてもよい。
【００４２】
本態様によると、フレームシーケンシャル方式によって立体画像を表示する場合に適した輝度ムラ処理が行われる。
【００４３】
また、前記ムラ量は、前記周辺領域の輝度を基準とした前記輝度ムラ領域の輝度の比率であってもよい。
【００４４】
本態様によると、前記輝度ムラ領域に対応する擬似ムラ領域を、前記周辺領域と前記輝度ムラ領域とにおける輝度の比率に従って付加することができる。
【００４５】
また、前記表示装置は、さらに、前記第１眼用の画像を表す第１画像信号と前記第２眼用の画像を表す第２画像信号とを前記表示装置の外部から受信し、前記第１画像信号と前記第２画像信号とを前記ムラ立体処理部に送信する信号前処理部を備えてもよい。
【００４６】
本態様によると、前記表示装置は、前記表示装置の外部から受信した前記第１画像信号と前記第２画像信号とを用いて、輝度ムラ処理を行うことができる。
【００４７】
また、前記表示装置は、さらに、前記立体視のための画像を表す立体画像信号を前記表示装置の外部から受信し、前記立体画像信号から前記第１眼用の画像を表す第１画像信号と前記第２眼用の画像を表す第２画像信号とを生成し、生成された前記第１画像信号と前記第２画像信号とを前記ムラ立体処理部に送信する信号前処理部を備えてもよい。
【００４８】
本態様によると、前記表示装置は、前記表示装置の外部から受信した前記立体画像信号を用いて、輝度ムラ処理を行うことができる。
【００４９】
また、前記発光画素部は、有機ＥＬ発光素子を含んでいてもよい。
【００５０】
本態様によると、有機ＥＬ表示パネルに立体画像を表示する場合に適した輝度ムラ処理が行われる。
【００５１】
また、本発明は、このような表示装置として実現できるだけでなく、このような表示装置とメガネとを含む表示システムとして実現することも、またこのような表示装置によって実行される表示方法として実現することもできる。
【００５２】
ここで、図１〜図５を参照し、本発明の基本的概念について説明する。
【００５３】
図１に示すように、輝度ムラ（ハッチングを施した円で示す）が表示されるパネルＰがある。このパネルＰを用いて２Ｄ表示を行うとき、２Ｄ表示画像は奥行きを持たず、パネル面と同じ奥行きで表示される。ここで図２に示すように、このパネルＰを用いて３Ｄ表示を行うとき、パネルＰのパネル面に輝度ムラが残ったまま、右目用画像と左目用画像とをそれぞれ右目と左目に視認させると、輝度ムラがパネルＰのパネル面に残ったまま３Ｄ画像が表示されてしまう。
【００５４】
図２では、３Ｄ表示画像は、複数の領域（領域ごとの表示オブジェクト）がそれぞれ固有の奥行きを持って表示されている。奥行きを持った３Ｄ表示画像とパネル面に奥行きを持たず表示されてしまう輝度ムラとを視認することで、輝度ムラが３Ｄ表示画像の中に浮いて見えてしまう。
【００５５】
そこで、図３及び図４に示すように、右目用画像を表示するときに、左目用画像における輝度ムラが表示される領域の奥行き量に合わせて、輝度ムラに対応する右目用輝度ムラである擬似ムラを右目用画像に意図的に表示させる。同様に、左目用画像を表示するときに、右目用画像における輝度ムラが表示される領域の奥行き量に合わせて、輝度ムラに対応する左目用輝度ムラである擬似ムラを左目用画像に意図的に表示させる。これにより、右目用画像と左目用画像とをそれぞれの目で視認することにより、輝度ムラが３Ｄ画像の奥行きに対応した輝度ムラとして認識される。
【００５６】
従って、図５に示すように、輝度ムラは奥行きをもって視認され、輝度ムラによる違和感を低減し、３Ｄ表示を行うことができる。
【００５７】
（第１の実施の形態）
以下、本発明の第１の実施の形態に係る表示装置及び表示システムについて、図面を参照しながら詳細に説明する。
【００５８】
図６は、本発明の第１の実施の形態に係る表示装置１の機能的な構成の一例を示すブロック図である。表示装置１は、左目用画像（Ｌ画像）と右目用画像（Ｒ画像）とで構成される立体画像（３Ｄ画像）を表示可能な表示装置である。表示装置１は、メガネ８と共に、表示システムを構成している。表示装置１とメガネ８とは、例えば赤外線信号を用いて、Ｌ、Ｒ画像の切り替えタイミングを同期させる。
【００５９】
図７は、表示装置１において行われるＲ画像及びＬ画像のフレームシーケンシャル表示を説明する図である。図７に示されるように、表示装置１は、３Ｄ画像を構成するＲ画像とＬ画像とを、輝度ムラがある１つの表示パネルにフレームシーケンシャルに表示する。１つの３Ｄ画像は、例えば、連続して表示される一対のＲ画像及びＬ画像から構成される。
【００６０】
ここで、輝度ムラとは、表示パネルを一様な条件で駆動した場合に周辺領域と異なる輝度で発光する現象またはそのような領域を言う。輝度ムラ領域は、一例として、画素単位で管理される。図７の例では、表示装置１の表示パネルには、画素位置ｐに輝度ムラがあり、Ｒ画像の一部分及びＬ画像の一部分が画素位置ｐにある発光画素部に交互に表示される。つまり、図７の例では、どのＲ画像及びどのＬ画像も、その一部分が輝度ムラ領域に表示される。
【００６１】
視聴者は、このようにフレームシーケンシャルに表示されるＬ画像、Ｒ画像を、メガネ８をかけて視聴する。
【００６２】
メガネ８は、右目用の第１シャッター部及び左目用の第２シャッター部を有し、視聴者がＲ画像を右目のみで目視し、かつＬ画像を左目のみで目視するように、表示装置１から供給されるメガネ用同期信号に従って、第１シャッター部及び第２シャッター部を開閉する。
【００６３】
図６において、表示装置１は、信号前処理部１０、信号送信部１１、表示制御部１２、データ線駆動回路１３、走査線駆動回路１４、表示パネル１５、ムラ立体処理部２０、及び輝度ムラ情報格納部４０から構成される。
【００６４】
表示パネル１５は、複数の発光画素部がマトリクス状に設けられてなり、データ線駆動回路１３及び走査線駆動回路１４によって駆動されることによって所望の画像を表示する表示パネルである。表示パネル１５は、前記発光画素部が有機ＥＬ発光素子を含む有機ＥＬ表示パネルであってもよい。
【００６５】
信号前処理部１０は、表示装置１の外部から、Ｌ画像とＲ画像とで構成される３Ｄ画像を表す立体画像信号（３Ｄ画像信号）を受信し、受信した３Ｄ画像信号からＬ画像を表すＬ画像信号とＲ画像を表すＲ画像信号とを生成して、ムラ立体処理部２０へ送信する。また、Ｌ、Ｒ画像の切り替えタイミングを示すメガネ用同期信号を信号送信部１１へ送信する。
【００６６】
本発明は、信号前処理部１０によって受信される３Ｄ画像信号の具体的な形式を限定しないが、一例として、３Ｄ画像信号は、前記Ｌ画像信号と前記Ｒ画像信号とが、単純に多重された信号であってもよい。その場合、信号前処理部１０は、前記３Ｄ画像信号を多重分離することにより、前記Ｌ画像信号と前記Ｒ画像信号とを生成する。また、一例として、３Ｄ画像信号は、Ｌ画像信号及びＲ画像信号のいずれか一方と、Ｌ画像とＲ画像との差分を表す差分信号とが多重された信号であってもよい。その場合、信号前処理部１０は、前記３Ｄ画像信号から前記Ｌ画像信号及び前記Ｒ画像信号の前記一方と前記差分信号とを分離するとともに、分離された各信号を加算することによって、前記Ｌ画像信号及び前記Ｒ画像信号の他方を生成する。また、信号前処理部１０は、表示装置１の外部から、多重されていないＬ画像信号とＲ画像信号とを独立して受信し、ムラ立体処理部２０へ転送してもよい。
【００６７】
信号送信部１１は、信号前処理部１０から受信したメガネ用同期信号を、例えば赤外線を用いてメガネ８へ送信する。
【００６８】
輝度ムラ情報格納部４０は、表示パネル１５を一様な条件で駆動した場合に周辺領域と異なる輝度で発光する前記表示パネル面内の領域である輝度ムラ領域の位置と、当該輝度ムラ領域の発光輝度の前記周辺領域の発光輝度からの差分であるムラ量とを表す輝度ムラ情報４１を格納している。
【００６９】
ムラ立体処理部２０は、１つの３Ｄ画像を表す一対のＲ画像及びＬ画像に対して、次のような処理を行う。当該Ｒ画像及び当該Ｌ画像は、それぞれ、信号前処理部１０から供給されるＲ画像信号及びＬ画像信号によって表される。
【００７０】
ムラ立体処理部２０は、Ｌ画像の一部分である参照部分が、輝度ムラ情報４１が示す表示パネル１５の輝度ムラ領域に表示される場合、表示パネル１５の前記輝度ムラ領域から第１距離だけ離れた位置に表示されるＲ画像の対応部分に、輝度ムラ情報４１が示す前記ムラ量の輝度ムラが生じるように、Ｒ画像データを修正する。言い換えれば、ムラ立体処理部２０は、前記Ｒ画像の前記対応部分に意図的に擬似ムラを付加する。前記Ｒ画像の前記対応部分は、一例として、前記立体視において前記Ｌ画像の参照部分と同一位置に視認される前記Ｒ画像の一部分であってもよい。
【００７１】
ムラ立体処理部２０は、また、Ｒ画像の一部分である参照部分が、輝度ムラ情報４１が示す表示パネル１５の輝度ムラ領域に表示される場合、表示パネル１５の前記輝度ムラ領域から第２距離だけ離れた位置に表示されるＬ画像の対応部分に、輝度ムラ情報４１が示す前記ムラ量の輝度ムラが生じるように、Ｌ画像データを修正する。言い換えれば、ムラ立体処理部２０は、前記Ｌ画像の前記対応部分に意図的に擬似ムラを付加する。前記Ｌ画像の前記対応部分は、一例として、前記立体視において前記Ｒ画像の参照部分と同一位置に視認される前記Ｌ画像の一部分であってもよい。
【００７２】
そして、ムラ立体処理部２０は、擬似ムラが付加されたＲ画像を表すムラ付きＲ画像信号及び擬似ムラが付加されたＬ画像を表すムラ付きＬ画像信号を表示制御部１２に送信する。
【００７３】
表示制御部１２は、データ線駆動回路１３及び走査線駆動回路１４を介して表示パネル１５を駆動し、表示パネル１５にムラ付きＲ画像信号で表される擬似ムラ付きＲ画像及びムラ付きＬ画像信号で表される擬似ムラ付きＬ画像を順次表示させる。
【００７４】
本発明は、信号前処理部１０、表示制御部１２、ムラ立体処理部２０、及び輝度ムラ情報格納部４０の具体的な実現態様を限定しないが、一例を挙げれば、ＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に予め格納されているプログラムを作業用のＲＡＭ（Ｒａｍｄｏｍ  Ａｃｃｅｓｓ  Ｍｅｍｏｒｙ）を用いて実行する情報処理装置によって実現してもよい。また、ＤＳＰ（Ｄｉｇｉｔａｌ  Ｓｉｇｎａｌ  Ｐｒｏｃｅｓｓｏｒ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などを用いてハードウェア回路によって実現してもよい。
【００７５】
続いて、ムラ立体処理部２０の詳細について説明する。
【００７６】
図８は、ムラ立体処理部２０の機能的な構成の一例を示すブロック図である。
【００７７】
ムラ立体処理部２０は、フレームバッファ２１、視差特定部２２、及びムラ付加部２３から構成される。
【００７８】
フレームバッファ２１は、信号前処理部１０から１つの３Ｄ画像を構成するＬ画像及びＲ画像をそれぞれ表すＬ画像信号、Ｒ画像信号を受信し、当該Ｌ画像信号で表されるＬ画像及び当該Ｒ画像信号で表されるＲ画像を保持する。
【００７９】
視差特定部２２は、Ｌ画像の前記参照部分に表される表示オブジェクトの立体視における第１の視差量と、Ｒ画像の前記参照部分に表される表示オブジェクトの立体視における第２の視差量とを特定する。これらの表示オブジェクトは、一般には異なるので、当該第１の視差量と当該第２の視差量も、一般には異なる（図５を参照）。
【００８０】
ムラ付加部２３は、表示パネル１５の輝度ムラ領域から前記第１の視差量だけ離れた位置に表示されるＲ画像の対応部分に擬似ムラを付与するように、Ｒ画像を修正する。また、表示パネル１５の輝度ムラ領域から前記第２の視差量だけ離れた位置に表示されるＬ画像の対応部分に擬似ムラを付与するように、Ｌ画像を修正する。
【００８１】
上記の説明では、前記Ｌ画像、前記Ｒ画像がそれぞれ本発明の第１画像、第２画像の一例であり、前記第１の視差量及び前記第２の視差量がそれぞれ本発明の第１距離、第２距離の一例である。ただし、このような例示に含まれる対応付けは、説明を具体的にするための便宜に過ぎず、本発明を限定するものではない。
【００８２】
図９は、輝度ムラ情報格納部４０に格納されている輝度ムラ情報４１の一例を示す図である。
【００８３】
輝度ムラ情報格納部４０は、表示パネル１５における輝度ムラ領域の位置及び当該輝度ムラ領域に生じるムラ量を対応付けて表す輝度ムラ情報を、輝度ムラ領域の数と同数格納している。図９の例では、１つの行が１つの輝度ムラ情報に対応する。
【００８４】
ここで、輝度ムラ領域とは、前述したように、表示パネル１５を一様な条件で駆動した場合に周辺領域と異なる輝度で発光する表示パネル１５の面内の領域であり、輝度ムラ領域の位置は、例えば、画素位置（表示パネルの左上隅の発光画素部から画素数で数えた距離）で表される。
【００８５】
ムラ量は、当該輝度ムラ領域の発光輝度の周辺領域の発光輝度からの差分を表す。ムラ量は、具体的に、周辺の発光画素部の発光輝度を基準とした、輝度ムラがある発光画素部の発光輝度の比率で表されてもよい。
【００８６】
輝度ムラ情報は、例えば、表示装置１の製造時に、表示パネル１５を一様な条件で発光させ、表示パネル１５の面内の部分ごと（例えば発光画素部ごと）の発光輝度を測定することにより生成され、輝度ムラ情報格納部４０に記録される。
【００８７】
次に、表示装置１にて実行されるムラ立体処理について、図１０から図１３を参照して詳細に説明する。
【００８８】
図１０は、ムラ立体処理の一例を示すフローチャートである。
【００８９】
図１１は、ムラ立体処理に含まれる視差量特定処理の内容を説明する図である。
【００９０】
図１２及び図１３は、ムラ立体処理に含まれるムラ付加処理の内容を説明する図である。
【００９１】
図１０のフローチャートに示されるように、まず、信号前処理部１０は、３Ｄ画像信号を受信し（Ｓ１０）、受信した３Ｄ画像信号からＬ、Ｒ画像信号を生成する（Ｓ１１）。ムラ立体処理部２０のフレームバッファ２１は、Ｌ画像信号、Ｒ画像信号によって表されるＬ画像及びＲ画像を保持する（Ｓ１２）。
【００９２】
この後、輝度ムラ情報格納部４０に格納されている各輝度ムラ情報について、ステップＳ２１からステップＳ２４までが繰り返される（Ｓ２０）。
【００９３】
視差特定部２２は、Ｌ画像の画素位置ｐｉに表される表示オブジェクトの視差量ａを、特定する（Ｓ２１）。この処理は、例えば図１１に示されるように、同じ表示オブジェクトが表されるＲ画像の位置を探索することによって行うことができる。具体的には、
評価関数Ｄ（ｄ）＝Σ（｜ｖｌ（ｘ，ｙ）−ｖｒ（ｘ＋ｄ，ｙ）｜）
ｖｌ（ｘ，ｙ）はＬ画像の参照エリア内の画素値
ｖｒ（ｘ＋ｄ，ｙ）はＲ画像の評価エリア内の画素値
を設定し、評価関数Ｄ（ｄ）を最小にするｄを求めることにより、求まったｄが視差量ａとして特定される。なお、評価関数Ｄ（ｄ）には、上記に限らず、画素値の差の二乗和など、画像の相違の度合いを表すどのような関数を用いてもよい。この処理は、画像の類似部分を探索するためのよく知られた手法であるため、詳細な説明を省略する。
【００９４】
ムラ付加部２３は、図１２に示されるように、表示パネル１５の画素位置ｐｉから視差量ａ離れた位置に表示されるＲ画像の対応部分にムラ量ｕｐｉの擬似ムラが付加されるように、フレームバッファ２１内のＲ画像を修正する（Ｓ２２）。
【００９５】
視差特定部２２は、同様にして、Ｒ画像の画素位置ｐｉにおける視差量ｂを特定する（Ｓ２３）。ムラ付加部２３は、図１３に示されるように、表示パネル１５の画素位置ｐｉから視差量ｂ離れた位置に表示されるＬ画像の対応部分にムラ量ｕｐｉの擬似ムラが付加されるように、フレームバッファ２１内のＬ画像を修正する（Ｓ２４）。
【００９６】
全ての輝度ムラ情報について上記の処理を実行し終えると（Ｓ２５）、ムラ立体処理部２０は、修正後の擬似ムラ付きＲ画像を表すムラ付きＲ画像信号、及び修正後の擬似ムラ付きＬ画像を表すムラ付きＬ画像信号を表示制御部１２へ送信し、表示制御部１２は、当該Ｒ画像信号によって表される擬似ムラ付きＲ画像及び当該ムラ付きＬ画像信号によって表される擬似ムラ付きＬ画像を、表示パネル１５に表示する（Ｓ３０、Ｓ３１）。
【００９７】
このような処理が、３Ｄ画像のフレームごとに、例えば、映像データが終了するか、表示装置１の電源が切られるまで実行される（Ｓ７０）。
【００９８】
次に、上述したムラ立体処理によって得られる効果について、図１４、図１５を参照して説明する。
【００９９】
図１４は、ムラ立体処理を行わない比較例において視聴者に知覚される立体画像を示す図である。
【０１００】
図１５は、ムラ立体処理を行う実施例において視聴者に知覚される立体画像を示す図である。
【０１０１】
図１４に示されるように、ムラ立体処理を行わない場合は、輝度ムラ領域が左右それぞれの片眼のみで別々の位置に知覚されるため、視聴者には、輝度ムラ領域が表示オブジェクトの手前に浮かんでいるように見え、視聴者は輝度ムラ領域に気付いてしまう。
【０１０２】
これに対し、ムラ立体処理を行う場合は、図１５に示されるように、輝度ムラ領域が、表示オブジェクトと同じ奥行き位置に知覚されることになる。そのため、表示オブジェクトを平面的に見る場合に気にならない程度の輝度ムラであれば、視聴者は、ムラ立体処理を行った立体画像においてもその輝度ムラは気にならない。その結果、視聴者は、３Ｄの映像を、２Ｄの映像の表示品質と同程度の表示品質で視聴できる。
【０１０３】
なお、上記では、表示装置の１つの態様として、立体視において輝度ムラ領域を表示オブジェクトと同じ奥行き方向の位置に結像させる具体例について詳細に説明した。しかしながら、輝度ムラ領域を結像させる奥行き方向の位置は、表示オブジェクトと同じ深さには限られない。
【０１０４】
例えば、輝度ムラ領域を立体視される画像の最も奥に結像させてもよい。この場合、視差特定部２２は、前述したような視差量の代わりに、前記立体視において表示オブジェクトを奥行きが最も深い位置に結像させるための視差量を特定する。視差特定部２２は、そのような視差量として、例えば、単純に、所定の定数値を指定してもよく、また３Ｄ画像の解像度に応じた定数値を指定してもよい。ムラ付加部２３は、当該特定される視差量に応じて、画像の最も奥において輝度ムラ領域と結像する擬似ムラを生成する。
【０１０５】
このような構成によれば、輝度ムラは、立体視される画像の最も奥に結像するので、視聴者は、前記輝度ムラが表示オブジェクトよりも手前に浮かんでいるように視認することがなくなり、その結果、前記輝度ムラによる違和感が軽減される。
【０１０６】
（第１の実施の形態の変形例）
図１６は、第１の実施の形態の変形例に係るムラ立体処理部２８の機能的な構成の一例を示すブロック図である。
【０１０７】
ムラ立体処理部２８では、ムラ立体処理部２０から視差特定部２２を省略して構成される。このような構成は、視差（奥行き）信号が外部から与えられる場合に適する。視差信号は、画像の各画素位置に表示される表示オブジェクトの奥行き方向の位置を特定するための信号である。視差信号は、一例として、周知のｚバッファ法などによる立体描画で用いられるｚ座標値を示す信号であってもよい。
【０１０８】
本変形例では、輝度ムラを付加すべき位置を決めるための視差量は、視差信号から特定できるので、第１の実施の形態で説明した、画像の類似部分を探索する視差特定処理は不要となる。
【０１０９】
（第２の実施の形態）
以下、本発明の第２の実施の形態に係る表示装置及び表示システムについて、図面を参照しながら詳細に説明する。本発明の第２の実施の形態は多くの点で、前述した第１の実施の形態と共通するため、以下では、先に説明した構成要素には同一の符合を付して説明を省略し、相違点について主に説明する。
【０１１０】
図１７は、本発明の第２の実施の形態に係る表示装置２の機能的な構成の一例を示すブロック図である。表示装置２は、図６に示される表示装置１と比べて、メガネ用同期信号を処理する信号送信部１１が省略され、ムラ立体処理部３０及び表示パネル２５が変更される。表示パネル２５には、Ｒ画像及びＬ画像をそれぞれ専用の発光画素部に表示する表示パネルが用いられる。例えば、視聴者が裸眼で立体視を得ることができる、視差バリアを備えた表示パネルや、視聴者がシャッターのないパッシブな偏光メガネをかけて立体視を得ることができる偏光表示パネルは、このような表示パネルの一例である。
【０１１１】
図１８は、表示装置２において行われるＲ画像及びＬ画像のインターリーブ表示を説明する図である。図１８に示されるように、表示装置２は、３Ｄ画像を構成するＲ画像とＬ画像とを、１つのフレーム内で、Ｒ画像の表示専用の画素位置及びＬ画像の表示専用の画素位置にインターリーブして表示パネル２５に表示する。なお、図１８では、Ｒ画像とＬ画像とを垂直ストライプ状にインターリーブする例を示しているが、Ｒ画像とＬ画像とを水平ストライプ状や市松状にインターリーブする例においても、以下の説明は同様に成り立つ。
【０１１２】
図１８の例では、表示装置２の表示パネル２５には、画素位置ｓにＬ輝度ムラがあり、画素位置ｔにＲ輝度ムラがある。画素位置ｓにある発光画素部はＬ画像のみを表示し、画素位置ｔにある発光画素部はＲ画像のみを表示する。表示パネル２５では、１つの発光画素部に生じる輝度ムラが、Ｒ画像及びＬ画像のいずれか一方のみに重なる点が、第１の実施の形態における表示パネル１５と異なる。
【０１１３】
表示装置２では、この違いに着目して、図１７に示されるように、輝度ムラ情報格納部４２に、Ｌ輝度ムラ情報４３とＲ輝度ムラ情報４４とを別々に格納している。
【０１１４】
続いて、ムラ立体処理部３０の詳細について説明する。
【０１１５】
図１９は、ムラ立体処理部３０の機能的な構成の一例を示すブロック図である。
【０１１６】
ムラ立体処理部３０は、ムラ立体処理部２０と比べて、ムラ付加部３１が変更され、インターリーブ画像生成部３２が追加される。
【０１１７】
図２０は、輝度ムラ情報格納部４２に格納されているＬ輝度ムラ情報４３の一例を示す図である。
【０１１８】
図２１は、輝度ムラ情報格納部４２に格納されているＲ輝度ムラ情報４４の一例を示す図である。
【０１１９】
Ｌ輝度ムラ情報４３は、Ｌ輝度ムラに対応する擬似ムラをＲ画像に付加するために参照され、Ｒ輝度ムラ情報４４は、Ｒ輝度ムラに対応する擬似ムラをＬ画像に付加するために参照される。
【０１２０】
次に、表示装置２にて実行されるムラ立体処理について、図２２から図２４を参照して詳細に説明する。
【０１２１】
図２２は、ムラ立体処理の一例を示すフローチャートである。
【０１２２】
図２３及び図２４は、ムラ立体処理に含まれるムラ付加処理の内容を説明する図である。
【０１２３】
図２２のフローチャートに示されるように、フレームバッファ２１に、Ｌ画像信号、Ｒ画像信号によって表されるＬ画像及びＲ画像が保持されるまでは、前述と同様である（Ｓ１０〜Ｓ１２）。
【０１２４】
この後、輝度ムラ情報格納部４２に格納されている各Ｌ輝度ムラ情報について、ステップＳ４１からステップＳ４２までが繰り返される（Ｓ４０）。
【０１２５】
視差特定部２２は、Ｌ画像の画素位置ｓｉに表される表示オブジェクトの視差量ａを特定する。これには、例えば前述した、画像の類似部分を探索する手法を用いることができる（Ｓ４１）。
【０１２６】
ムラ付加部２３は、図２３に示されるように、表示パネル２５の画素位置ｓｉから視差量ａ離れた位置に表示されるＲ画像の対応部分にムラ量ｕｓｉの擬似ムラが付加されるように、フレームバッファ２１内のＲ画像データを修正する（Ｓ４２）。
【０１２７】
全てのＬ輝度ムラ情報について上記の処理を実行し終えると（Ｓ４３）、続いて、輝度ムラ情報格納部４２に格納されている各Ｒ輝度ムラ情報について、ステップＳ５１からステップＳ５２までが繰り返される（Ｓ５０）。
【０１２８】
視差特定部２２は、Ｒ画像の画素位置ｔｊに表される表示オブジェクトの視差量ｂを特定する（Ｓ５１）。そして、ムラ付加部２３は、図２４に示されるように、表示パネル２５の画素位置ｔｊから視差量ｂ離れた位置に表示されるＬ画像の対応部分にムラ量ｕｔｊの擬似ムラが付加されるように、フレームバッファ２１内のＬ画像データを修正する（Ｓ５２）。
【０１２９】
全てのＲ輝度ムラ情報について上記の処理を実行し終えると（Ｓ５３）、インターリーブ画像生成部３２は、修正後の擬似ムラ付きＲ画像及び修正後の擬似ムラ付きＬ画像からムラ付きインターリーブ画像を生成し、ムラ付きインターリーブ画像を表すムラ付きインターリーブ信号を表示制御部１２に送信する（Ｓ６０）。
【０１３０】
表示制御部１２は、ムラ付きインターリーブ画像信号によって表されるムラ付きインターリーブ画像を、表示パネル２５に表示する（Ｓ６１）。
【０１３１】
このような処理が、３Ｄ画像のフレームごとに、例えば、信号が終了するか、表示装置２の電源が切られるまで実行される（Ｓ７０）。
【０１３２】
以上、本発明の表示装置及び表示システムについて実施の形態に基づいて説明した。本発明は、これらの実施の形態に限定されるものではない。本発明の趣旨を逸脱しない限り、当業者が思いつく各種変形を各実施の形態に施したものや、異なる実施の形態における構成要素を組み合わせて得られる形態も、本発明の範囲内に含まれる。
【産業上の利用可能性】
【０１３３】
本発明は、有機ＥＬ表示装置などの表示装置に適用でき、特には立体画像を視聴するための表示システムに好適に利用できる。
【符号の説明】
【０１３４】
１、２  表示装置
８  メガネ
１０  信号前処理部
１１  信号送信部
１２  表示制御部
１３  データ線駆動回路
１４  走査線駆動回路
１５、２５  表示パネル
２０、２８、３０  ムラ立体処理部
２１  フレームバッファ
２２  視差特定部
２３  ムラ付加部
３１  ムラ付加部
３２  インターリーブ画像生成部
４０、４２  輝度ムラ情報格納部
４１  輝度ムラ情報
４３  Ｌ輝度ムラ情報
４４  Ｒ輝度ムラ情報
【図１】
2013062625.tif 000003
【図２】
2013062625.tif 000004
【図３】
2013062625.tif 000005
【図４】
2013062625.tif 000006
【図５】
2013062625.tif 000007
【図６】
2013062625.tif 000008
【図７】
2013062625.tif 000009
【図８】
2013062625.tif 000010
【図９】
2013062625.tif 000011
【図１０】
2013062625.tif 000012
【図１１】
2013062625.tif 000013
【図１２】
2013062625.tif 000014
【図１３】
2013062625.tif 000015
【図１４】
2013062625.tif 000016
【図１５】
2013062625.tif 000017
【図１６】
2013062625.tif 000018
【図１７】
2013062625.tif 000019
【図１８】
2013062625.tif 000020
【図１９】
2013062625.tif 000021
【図２０】
2013062625.tif 000022
【図２１】
2013062625.tif 000023
【図２２】
2013062625.tif 000024
【図２３】
2013062625.tif 000025
【図２４】
2013062625.tif 000026
【図２５】
2013062625.tif 000027